(57)【特許請求の範囲】
【請求項１】
所定周波数の電波を送受信し、前記周波数の電波を受信したときに応答信号を送信するトランスポンダを２つ以上備えてこれらを一体化したトランスポンダユニットであって、
液体に接触すると発信特性が変化する第１のトランスポンダと、
液体に接触したときも液体に接触していないときと同じ発信特性を維持して電波の送受信を行う第２のトランスポンダとを備えた
ことを特徴とするトランスポンダユニット。
【請求項２】
前記第１のトランスポンダは液体中を透過するときに所定値以上の減衰を生ずる周波数の電波を送受信するトランスポンダであることを特徴とする請求項１に記載のトランスポンダユニット。
【請求項３】
前記第１のトランスポンダは液体に接触するとアンテナの共振周波数が変化するトランスポンダであることを特徴とする請求項１に記載のトランスポンダユニット。
【請求項４】
前記第１のトランスポンダは、絶縁性の板又はフィルムからなる基板と、該基板上に形成された帯状導体とからなり、帯状導体がその厚みに対して幅が極めて大きく設定されると共に、前記帯状導体の少なくとも一部が隣り合う該帯状導体の他の所定部分に対して所定距離以下の間隔をあけて接近して配置されているアンテナを備えていることを特徴とする請求項３に記載のトランスポンダユニット。
【請求項５】
前記帯状導体が渦巻き状に形成されていることを特徴とする請求項４に記載のトランスポンダユニット。
【請求項６】
前記基板の少なくとも前記帯状導体が形成された面には液体が浸透しやすい部材が設けられていることを特徴とする請求項４に記載のトランスポンダユニット。
【請求項７】
前記液体が浸透しやすい部材として不織布を用いたことを特徴とする請求項６に記載のトランスポンダユニット。
【発明の詳細な説明】
【０００１】
【発明の属する技術分野】
本発明は、水又は油等の液体検知用として使用可能な複数のトランスポンダを一体化したトランスポンダユニットに関するものである。
【０００２】
【従来の技術】
従来、液体の漏洩或いは漏洩箇所を検出するために数々の工夫がなされている。このように液体の漏洩を検出しなければならないものとしては、例えば廃棄物等の埋立処理場、港のコンビナートと海上のタンカーとの間で重油等を移送する液体移送用ホースが挙げられる。
【０００３】
廃棄物の埋立処理場では、廃棄物から流れ出る液体が地中に浸透するのを防ぐために、遮水シートと称されるシートを敷設した上に、廃棄物を埋め立てるようにしている。このように遮水シートを敷設することにより、雨水に溶けて廃棄物から流れ出た酸性、アルカリ性、或いは人体に有害な汚水が地中に染み込み、地下水に混入するのを防止すると共に下流側で集水処理して放流することができる。
【０００４】
しかし、遮水シートが破砕した場合には汚水が地中に染み込んでしまうので、汚水の漏洩を検出するとともに破砕位置を特定する必要がある。
【０００５】
このような遮水シートの破損を検出する手段の一例として、従来、特開平９−１８９６３６号に開示される漏洩検出方法が知られている。これは、遮水シートの下側に縦横の格子状に絶縁電線を配置し、その交点をダイオードと２個の電極で構成する電気伝導度センサで結び、格子の縦横を電気信号で操作することによって、遮水シートからの汚染水の漏洩とその場所を検出するものである。
【０００６】
さらに、実際の被害を生じる前に漏洩を検出するために、シートを二重にしてこれらの２枚のシート間にバッファ領域を設ける工夫もなされている。
【０００７】
また、タンカーから重油等が海上に流出して近海に大変な被害を与えた事故が報じられることがあるが、このような事故が起こらないようにするために、液体移送用ホースにおける液体漏洩の検出は非常に重要なことである。
【０００８】
このため、液体移送用ホースとして、上記と同様にホースの本体耐圧コード層の外側に、さらに本体耐圧コード層から漏洩した液体が流入して対流する貯液緩衝層を介して、補助耐圧コード層が配置された構成となるダブルカーカスのホースも開発されている。これにより、本体耐圧コード層が破損した際に、本体耐圧コード層から漏洩した液体が補助耐圧コード層に遮られて貯液緩衝層に保持される。
【０００９】
さらに、前述のように本体耐圧コード層が破損し、貯液緩衝層内に液体が流入した際のホースの外観変化を容易に目視できるようにしたホースが知られている。このホースは、特開平５−２７２６７８号公報に開示されるように、補助耐圧コード層に、貯液緩衝層内に流入した液体の圧力によって捩れ可能な非対称コード層を備え、ホースの外観を視認することにより漏洩を検知することができる。
【００１０】
【発明が解決しようとする課題】
しかしながら、前述した２つの従来例において、前者の場合は検出対象となる範囲が広大な面積となり漏洩箇所の特定が非常に難しかった。さらに、絶縁電線を張り巡らせるのは非常に手間のかかることであった。
【００１１】
また、後者の場合は、非対称コード層を有するホースであっても液体の圧送を停止して液圧の無い状態ではホースの捩れ等の外観の異常を認めることができなかった。さらに、液漏れの初期段階、即ち少量の液漏れが生じ始めた段階ではホースの外観を変化させるまでには至らず、液漏れ初期段階での異常発見は不可能であった。
【００１２】
本発明の目的は上記の問題点に鑑み、離れた位置から容易に液体の漏洩を検出できるトランスポンダユニットを提供することにある。
【００１３】
【課題を解決するための手段】
本発明は上記の目的を達成するために請求項１では、所定周波数の電波を送受信し、前記周波数の電波を受信したときに応答信号を送信するトランスポンダを２つ以上備えてこれらを一体化したトランスポンダユニットであって、液体に接触すると発信特性が変化する第１のトランスポンダと、液体に接触したときも液体に接触していないときと同じ発信特性を維持して電波の送受信を行う第２のトランスポンダとを備えたトランスポンダユニットを提案する。
【００１４】
該トランスポンダユニットによれば、第１のトランスポンダに水や油等の検知対象物が接触すると発信特性が変化するので、質問信号の電波を輻射してもトランスポンダとの間で通信を行うことができなくなる。これにより、応答信号を受信できない前記第１のトランスポンダが液体に接触していることを検知することができる。さらに、前記第２のトランスポンダは、液体に接触しても発信特性が変化せずに電波の送受信を行うことができるので、質問信号を受信したときには応答信号を送信し、通常の通信を行うことができる。これにより、第２のトランスポンダとの通信によって、トランスポンダユニットの設置位置を特定することができるとともに、第１のトランスポンダとの通信が行えないときにも、第２のトランスポンダによって必要な通信を行うことができる。
【００１５】
また、請求項２では、請求項１に記載のトランスポンダユニットにおいて、前記第１のトランスポンダが液体中を透過するときに所定値以上の減衰を生ずる周波数の電波を送受信するトランスポンダであるトランスポンダユニットを提案する。
【００１６】
該トランスポンダユニットによれば、前記第１のトランスポンダの送受信電波の周波数が、移送対象の液体中を透過するときに所定値以上の減衰を生じて発信特性が変化するため、液体の漏洩が生じたときにトランスポンダから応答信号を発信しても、応答信号電波の減衰が大きくなり、監視員はトランスポンダからの応答信号電波を受信できなくなる。これにより、前記検知対象物が接触したことを検出できる。
【００１７】
また、請求項３では、請求項１に記載のトランスポンダユニットにおいて、前記第１のトランスポンダが液体に接触するとアンテナの共振周波数が変化するトランスポンダであるトランスポンダユニットを提案する。
【００１８】
該トランスポンダユニットによれば、前記第１のトランスポンダに液体が接触すると、アンテナの共振周波数及び送信周波数が通常の周波数よりも上方或いは下方の周波数にずれる。このため、アンテナとトランスポンダ本体との間の整合状態が悪化して、アンテナから輻射される電波の到達距離が短くなり、トランスポンダに対して質問信号を送信してもトランスポンダからの応答信号を受信できなくなる。これにより、前記検知対象物が接触したことを検出できる。
【００１９】
また、請求項４では、請求項３に記載のトランスポンダユニットにおいて、前記第１のトランスポンダは、絶縁性の板又はフィルムからなる基板と、該基板上に形成された帯状導体とからなり、帯状導体がその厚みに対して幅が極めて大きく設定されると共に、前記帯状導体の少なくとも一部が隣り合う該帯状導体の他の所定部分に対して所定距離以下の間隔をあけて接近して配置されているアンテナを備えているトランスポンダユニットを提案する。
【００２０】
該トランスポンダユニットによれば、上記の構造とすることにより、水や油等の検知対象物が接触すると第１のトランスポンダのアンテナを構成する隣り合う帯状導体間に検知対象物によって静電容量が発生するので、アンテナの共振周波数及び送信周波数が通常の周波数よりも上方或いは下方の周波数にずれる。このため、第１のトランスポンダのアンテナとトランスポンダ本体との間の整合状態が悪化して、アンテナから輻射される電波の到達距離が短くなり、第１のトランスポンダに対して質問信号を送信しても第１のトランスポンダからの応答信号を受信できなくなる。さらに、上記の構造とすることにより、第１のトランスポンダのアンテナの周囲に発生する磁束密度が低くなるので、アンテナの“Ｑ”を低い値、例えば約１０前後の値に設定可能となる。
【００２１】
また、請求項５では、請求項４に記載のトランスポンダユニットにおいて、前記帯状導体が渦巻状に形成されているトランスポンダユニットを提案する。
【００２２】
該トランスポンダユニットによれば、前記第１のトランスポンダのアンテナにおける前記帯状導体を渦巻き状にすることによりトランスポンダ本体の送受信周波数に共振するようにしている。
【００２３】
また、請求項６では、請求項４に記載のトランスポンダユニットにおいて、前記第１のトランスポンダのアンテナにおける前記基板の少なくとも前記帯状導体が形成された面には液体が浸透しやすい部材が設けられているトランスポンダユニットを提案する。
【００２４】
該トランスポンダユニットによれば、検出対象となる液体が浸透しやすい部材を設けることにより、検出対象の液体の量が微量なときにも第１のトランスポンダのアンテナに液体を接触させることができるので、液体を容易に検知することができる。
【００２５】
また、請求項７では、請求項６に記載のトランスポンダユニットにおいて、前記液体が浸透しやすい部材として不織布を用いたトランスポンダユニットを提案する。
【００２６】
該トランスポンダユニットによれば、前記検出対象となる液体が浸透しやすい部材として不織布を用いたので、容易に入手可能でありコストも低く抑えることができる。
【００２７】
【発明の実施の形態】
以下、図面に基づいて本発明の一実施形態を説明する。
【００２８】
図１は本発明の第１参考例のトランスポンダを示す外観斜視図、図２はトランスポンダ素子を示す外観斜視図、図３はトランスポンダを示す平面図、図４は図３におけるＡ−Ａ線矢視方向断面図である。
【００２９】
図において、１０はトランスポンダで、トランスポンダ素子１１とループ状のアンテナ１２を２枚のフィルム１３，１４で挟み込むことにより構成されている。
【００３０】
フィルム１３，１４は、例えば幅（Ｗ１）が３０ｍｍ、長さ（Ｌ１）が１００ｍｍのポリイミドフィルムからなり、下側のフィルム１３上にアンテナ１２が印刷形成されている。また、トランスポンダ素子１１及び２枚のフィルム１３，１４間は樹脂によって接着されている。
【００３１】
トランスポンダ素子１１は、図２に示すように、半導体チップからなるトランスポンダ素子本体１５と、この周囲を覆う直方体形状の樹脂製パッケージ１６から構成されている。
【００３２】
また、アンテナ１２は、図３及び図４に示すように、フィルム１３に印刷形成されたコイル形状をなした導体１２ａからなり、その厚み（Ｔｈ）は２０μｍ、幅（Ｗ２）は２ｍｍに設定され、長さは送受信周波数の１３．５６ＭＨｚに共振するように設定されている。また、アンテナ１２は、導体１２ａを渦巻き状に配置して形成されており、導体１２ａは、その少なくとも一部が他の部分に対して所定距離以下の間隔をあけて接近して配置されている。
【００３３】
アンテナ１２の構造を上記のような構造とすることにより、アンテナ１２の“Ｑ”を低い値、例えば約１０前後の値に設定している。この程度の低い“Ｑ”を実現するには磁束密度が低くなる構造にする必要がある。このため、アンテナ１２を形成する印刷配線導体１２ａの幅（Ｗ１）を厚み（Ｔｈ）よりも大きく設定し、アンテナ１２に発生する磁束が１ヶ所に集中しないようにしている。
【００３４】
図５は、トランスポンダ１０の電気系回路を示す構成図である。図において、１０はトランスポンダで、アンテナ１２、アンテナ切替器２１、整流回路２２、中央処理部２３、記憶部２４、発信部２５、及び検波部２６から構成されている。
【００３５】
アンテナ切替器２１は、例えば電子スイッチ等から構成され、整流回路２２或いは発信部２５の何れか一方をアンテナ１２と接続するためのものであり、中央処理部２３から出力される制御信号によって接続切替が行われる。また、アンテナ切替器２１は、中央処理部２３が非動作時にはアンテナ１２と整流回路２２とを接続し、中央処理部２３の動作時にはアンテナ１２と発信部２５とを接続する。
【００３６】
整流回路２２は、ダイオード221,222、コンデンサ223、及び抵抗器224から構成され、周知の全波整流回路を形成している。この整流回路２２の入力側にはアンテナ切替器２１を介してアンテナ１２が接続されている。整流回路２２は、アンテナ１２に誘起した高周波電流を整流して直流電流に変換し、これを中央処理部２３、記憶部２４及び発信部２５の駆動電源として出力するものである。
【００３７】
中央処理部２３は、周知のＣＰＵ231及びディジタル／アナログ（以下、Ｄ／Ａと称する）変換器232から構成されている。ＣＰＵ231は、電源が供給されて駆動するとＥＥＰＲＯＭ等の半導体メモリからなる記憶部２４内に記憶されている情報を読み出して、この情報をＤ／Ａ変換器232を介して発信部２５に出力する。
【００３８】
発信部２５は、発振回路251、変調回路252及び高周波増幅回路253から構成され、発振回路251によって発振された、例えば１３．５６ＭＨｚの搬送波を、中央処理部２３から入力した情報信号に基づいて、変調回路252で変調し、これを高周波増幅回路253及びアンテナ切替器２１を介してアンテナ１２に供給する。
【００３９】
検波部２６はダイオード261とＡ／Ｄ変換器262からなり、ダイオード261のアノードはアンテナ１２に接続され、カソードはＡ／Ｄ変換器262を介して中央処理部２３のＣＰＵ231に接続されている。
【００４０】
次に、前述の構成よりなるトランスポンダの動作を説明する。
【００４１】
液体の漏洩が生じた際にこれを検出したい箇所、或いは範囲内に所定数の上記トランスポンダ１０を設置しておく。これらのトランスポンダに対して送受信周波数が１３．５６ＭＨｚに設定されているスキャナ（質問信号発生及び応答信号受信機）を用いて質問信号を送信することにより、液体の漏洩検出を行うことができる。
【００４２】
即ち、スキャナからトランスポンダ１０に対して応答信号を要求する高周波信号（質問信号）の電磁波が輻射されると、この電磁波はトランスポンダ１０のアンテナ１２に入力され、アンテナ１２に高周波電流が誘起する。
【００４３】
アンテナ１２に誘起した高周波電流は、整流回路２２によって整流されてトランスポンダ１０内部の中央処理部２３、記憶部２４及び発信部２５に電源を供給する。
【００４４】
これにより、ＣＰＵ231が駆動を開始すると、アンテナ切替器２１が送信可能状態に切り替えられ、ＣＰＵ231は、予め設定されているプログラムに従って記憶部２４内に記憶されている情報を読み出し、この情報を発信部２５に出力する。
【００４５】
発信部２５では読み出された情報に基づいて搬送波を変調し、変調された搬送波、即ち高周波信号をアンテナ１２に供給する。これにより、アンテナ１２から応答信号の電磁波が輻射される。
【００４６】
これにより、スキャナはトランスポンダ１０から輻射された電磁波（応答信号）を受信することができ、トランスポンダ１０に液体が接触していないことが分かる。
【００４７】
このように、上記構成のトランスポンダ１０は、液体に接触していないときは通常の通信を行う。
【００４８】
一方、トランスポンダ１０に液体が接触すると、図６に示すように、アンテナ１２を構成する隣り合う導体１２ａ間に液体によって静電容量Ｃ１が発生するので、アンテナ１２の共振周波数及び送信周波数が１３．５６ＭＨｚよりも上方或いは下方の周波数にずれる。このため、アンテナ１２と発信部２５との間の整合状態が悪化し、アンテナ１２から輻射される電波の到達距離が短くなり、スキャナはトランスポンダ１０からの応答信号を受信できなくなる。これにより検出対象の液体がトランスポンダに接触していること、即ち液体の漏洩が生じていることを検知することができる。
【００４９】
尚、ここに挙げた１３．５６ＭＨｚという送受信周波数及びアンテナ１２の寸法は一例であって、これらの値に限定されることはなく、液体に接触すると発信特性（アンテナの共振周波数）が変化すれば良い。
【００５０】
また、トランスポンダ１０に接触する液体の種類によってトランスポンダ１０のアンテナ１２の共振周波数及び送信周波数のずれが異なる。例えば液体が重油のときは周波数が高い方にずれて、液体が水や海水のときは周波数が低い方にずれる。この送信周波数のずれを検知することにより液体の種類を検出することも可能になる。
【００５１】
次に、本発明の第２参考例を説明する。
【００５２】
第２参考例は、第１参考例のトランスポンダ１０を不織布で覆ったものである。図７は第２参考例のトランスポンダ３０を示す断面図であり、第１参考例における図４と同様の図である。図において、前述した第１参考例と同一構成部分は同一符号を持って表しその説明を省略する。また、第１参考例と第２参考例との相違点は、アンテナ１２の全体を覆うようにフィルム１３，１４上に不織布３１を設けたことである。
【００５３】
不織布３１は、検出対象となる液体が浸透しやすい部材であるため、漏洩した液体（検出対象の液体）の量が微量なときにもアンテナに液体を接触させることができるので、液体を容易に検知することができる。また、不織布３１は容易に入手可能でありコストも低く抑えることができる。
【００５４】
尚、上記参考例では液体が浸透しやすい部材として不織布を用いたが、不織布以外の部材を用いても良い。
【００５５】
次に、本発明の第１実施形態を説明する。
【００５６】
図８は第１実施形態のトランスポンダユニットを示す外観斜視図、図９は平面図、図１０は図９におけるＡ−Ａ線矢視方向の部分断面図である。
【００５７】
図において、４０はトランスポンダユニットで、第１のトランスポンダ４１と第２のトランスポンダ４２をフィルム４３，４４で挟み込んで一体化したものである。
【００５８】
フィルム４３，４４は、例えば幅（Ｗ２）が１００ｍｍ、長さ（Ｌ２）が１００ｍｍのポリイミドフィルムからなり、上下のフィルム４３，４４の間にトランスポンダ４１，４２を挟んで樹脂によって接着されている。
【００５９】
トランスポンダ４１は、前述した第１参考例とほぼ同様の構成をなし、トランスポンダ素子１１とループ状のアンテナ１２から構成されている。
【００６０】
トランスポンダ４２は、半導体チップからなるトランスポンダ素子５１とアンテナ線５２から構成されている。
【００６１】
また、トランスポンダ素子５１に形成されている電子回路の構成は、前述した第１参考例と同様であり、送受信周波数も１３．５６ＭＨｚである。
【００６２】
これら２つのトランスポンダ４１，４２は、それぞれに固有の識別情報（ＩＤ）を用いて識別できるようになっている。
【００６３】
また、第２のトランスポンダ４２のアンテナ線５２は、図９及び図１０に示すように、絶縁被覆された直径０．２ｍｍの導線をループ状に束ねたもので、その長さは送受信周波数の１３．５６ＭＨｚに共振するように設定されている。
【００６４】
アンテナ線５２の構造を上記のような構造とすることにより、アンテナ線５２の“Ｑ”を高い値、例えば約１００前後の値に設定している。この程度の高い“Ｑ”を実現するには磁束が１ヶ所に集中し磁束密度が高くなる構造にすれば良い。
【００６５】
上記構成のトランスポンダ４２は、検出対象となる液体に接触していないときはスキャナとの間で通常の通信を行う。また、トランスポンダ４２に移送対象となる液体が接触しても、ループ状に巻回されたアンテナ線５２の隣り合う導体間には接触した液体によって殆ど静電容量が発生しないので、アンテナ線５２の共振周波数は１３．５６ＭＨｚから殆どずれることがない。さらに、周波数が１３．５６ＭＨｚの通信電波の液体による減衰は、小さい（液体が重油の場合、減衰率は約２０ｄＢ）ので、トランスポンダ４２が液体に覆われても通常と変わらぬ通信を行うことができる。
【００６６】
従って、第１実施形態では、第１参考例と同様に第１のトランスポンダ４１との通信によってトランスポンダ４１に液体が接触したことを検知することができる。さらに、第２のトランスポンダ４２との通信によって、トランスポンダユニット４０が設置してある位置を特定することができると共に、トランスポンダユニット４０が液体に覆われて、第１のトランスポンダ４１との通信が途絶えても、第２のトランスポンダ４２のメモリ内の情報をアクセスすることができる。
【００６７】
尚、第２のトランスポンダ４２の送受信周波数１３．５６ＭＨｚ及びアンテナ線５２の構成は一例であって、これらに限定されることはなく、第２のトランスポンダ４２が液体に接触しても通常と変わらぬ通信を行えれば良い。
【００６８】
また、第１のトランスポンダ４１を覆うように不織布等の液体が浸透しやすい部材を設けることにより、前述した第２参考例と同様に漏洩した液体（検出対象の液体）の量が微量なときにもアンテナに液体を接触させることができるので、液体を容易に検知することができる。
【００６９】
次に、本発明の第２実施形態を説明する。
【００７０】
図１１は、第２実施形態のトランスポンダユニット６０を示す外観斜視図である。図において、前述した第１実施形態と同一構成部分は同一符号を持って表しその説明を省略する。また、第１実施形態と第２実施形態との相違点は、第１のトランスポンダ４１に代えて送受信周波数が２ＧＨｚのトランスポンダ７０を用いたことである。
【００７１】
第１のトランスポンダ７０は、前述した第１参考例とほぼ同様の構成をなし、半導体チップからなるトランスポンダ素子７１とループ状のアンテナ７２から構成されている。
【００７２】
また、トランスポンダ素子７１に形成されている電子回路の構成は、前述した第１参考例と同様であり、相違点は送受信周波数が２ＧＨｚに設定されていることである。
【００７３】
これら２つのトランスポンダ４２，７０は、それぞれに固有の識別情報（ＩＤ）を用いて識別できるようになっている。
【００７４】
前述の構成における第１のトランスポンダ７０の送受信周波数は次の理由によって２ＧＨｚに設定されている。即ち、第１のトランスポンダ７０が液体に接触していない正常な状態では、スキャナから送信された２ＧＨｚの電波はトランスポンダ７０に至る。この結果、トランスポンダ７０はこの電波を受信することができると共に、スキャナはトランスポンダ７０から送信された応答信号を受信することができる。
【００７５】
また、第１のトランスポンダ７０が検出対象となる液体（例えば、重油）によって覆われたときには、図１２に示すように、２ＧＨｚの電波（高周波）はこの液体を透過するときに−６ｄＢ以上の減衰を受ける。図１２は重油の高周波減衰率を示す図であり、横軸に通信周波数、縦軸に減衰率を示している。
【００７６】
これにより、トランスポンダ７０が重油に覆われたときは、スキャナから輻射された質問信号の電波は重油によって減衰され、第１のトランスポンダ７０に至らないか或いは至ったとしても極めて弱い電波となり、第１のトランスポンダ７０を駆動するエネルギーを与えることができなくなる。また、かろうじて第１のトランスポンダ７０に駆動エネルギーを与えることができたとしても、第１のトランスポンダ７０からの応答信号が重油によって減衰されてスキャナまで到達することが不可能になり、スキャナは応答信号を受信できない。これらのことから第１のトランスポンダ７０の送受信周波数は２ＧＨｚに設定されている。
【００７７】
従って、第２実施形態においても、第１実施形態と同様に、第１のトランスポンダ７０との通信によってトランスポンダ７０に液体が接触したことを検知することができる。さらに、第２のトランスポンダ４２との通信によって、トランスポンダユニット６０が設置してある位置を特定することができると共に、トランスポンダユニット６０が液体に覆われて、第１のトランスポンダ７０との通信が途絶えても、第２のトランスポンダ４２のメモリ内の情報をアクセスすることができる。
【００７８】
尚、ここに挙げた２ＧＨｚという送受信周波数は一例であって、検出対象となる液体の種類によって適宜設定することが好ましく、検出対象となる液体によって−４ｄＢ以上、好ましくは−６ｄＢ以上の減衰が得られる周波数を設定することが望ましい。
【００７９】
また、トランスポンダ７０のアンテナ７２を液体が浸透しやすい部材、例えば不織布等で覆うことにより、前述した第２参考例と同様に漏洩した液体（検出対象の液体）の量が微量なときにもアンテナに液体を接触させることができるので、液体を容易に検知することができる。
【００８０】
【発明の効果】
以上説明したように本発明の請求項１乃至請求項７記載のトランスポンダユニットによれば、第１のトランスポンダとの通信が不能になることによって、第１のトランスポンダに水や油等の検知対象物が接触したことを検知することができる。さらに、液体が接触しても通常の通信を行える第２のトランスポンダとの通信によって、トランスポンダユニットの設置位置を特定することができるとともに、第１のトランスポンダとの通信が行えないときにも、第２のトランスポンダによって必要な通信を行うことができる。
【００８１】
また、請求項４に記載のトランスポンダユニットによれば、上記の効果に加えて、最小限の面積或いは体積で送受信周波数に共振したアンテナを構成することができる。
【００８２】
また、請求項５に記載のトランスポンダユニットによれば、上記の効果に加えて、上記の特性を変えることなく帯状導体の劣化を防止することができる。
【００８３】
また、請求項６及び請求項７に記載のトランスポンダユニットによれば、上記の効果に加えて、前記液体が微少量であっても容易に検知可能となる。
【図面の簡単な説明】
【図１】  本発明の第１参考例のトランスポンダを示す外観斜視図
【図２】  本発明の第１参考例のトランスポンダ素子を示す外観斜視図
【図３】  本発明の第１参考例のトランスポンダを示す平面図
【図４】  図３におけるＡ−Ａ線矢視方向断面図
【図５】  本発明の第１参考例におけるトランスポンダの電気系回路を示す構成図
【図６】  本発明の第１参考例における検出動作を説明する図
【図７】  本発明の第２参考例のトランスポンダを示す断面図
【図８】  本発明の第１実施形態のトランスポンダユニットを示す外観斜視図
【図９】  本発明の第１実施形態のトランスポンダユニットを示す平面図
【図１０】  図９におけるＡ−Ａ線矢視方向断面図
【図１１】  本発明の第２実施形態のトランスポンダユニットを示す外観斜視図
【図１２】  本発明に係る重油の高周波減衰率を示す周波数特性図
【符号の説明】
１０…トランスポンダ、１１…トランスポンダ素子、１２…アンテナ、１２ａ…導体、１３，１４…フィルム、１５…トランスポンダ素子本体、１６…パッケージ、２１…送受信用アンテナ、２１…アンテナ切替器、２２…整流回路、２３…中央処理部、２４…記憶部、２５…発信部、２６…検波部、３０…トランスポンダ、３１…不織布、４０…トランスポンダユニット、４１…第１のトランスポンダ、４２…第２のトランスポンダ、４３，４４…フィルム、５１…トランスポンダ素子、５２…アンテナ線、６０…トランスポンダユニット、７０…第１のトランスポンダ、７１…トランスポンダ素子、７２…アンテナ。
【図１】
0004119048.tif 000002
【図２】
0004119048.tif 000003
【図３】
0004119048.tif 000004
【図４】
0004119048.tif 000005
【図５】
0004119048.tif 000006
【図６】
0004119048.tif 000007
【図７】
0004119048.tif 000008
【図８】
0004119048.tif 000009
【図９】
0004119048.tif 000010
【図１０】
0004119048.tif 000011
【図１１】
0004119048.tif 000012
【図１２】
0004119048.tif 000013